【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
第１のユーザ画像の第１の特徴データを取得することと、
前記第１の特徴データに対して量子化処理を行い、第２の特徴データを得ることと、
前記第２の特徴データに基づいて、本人認証結果を得ることと、を含む本人認証方法。
【請求項２】
前記の前記第１の特徴データに対して量子化処理を行う前に、
変換パラメータを利用して、前記第１の特徴データに対して次元拡張変換処理を行い、変換データを得ることを更に含み、
前記の前記第１の特徴データに対して量子化処理を行い、第２の特徴データを得ることは、前記変換データに対して量子化処理を行い、前記第２の特徴データを得ることを含む請求項１に記載の方法。
【請求項３】
前記の変換パラメータを利用して、前記第１の特徴データに対して次元拡張変換処理を行い、変換データを得ることは、前記第１の特徴データと前記変換パラメータの積を前記変換データとして確定することを含む請求項２に記載の方法。
【請求項４】
前記の変換パラメータを利用して、前記第１の特徴データに対して次元拡張変換処理を行う前に、前記変換パラメータに対して初期化を行うことと、複数のサンプル特徴データに基づいて、反復終了条件が満たされるまで、初期化された前記変換パラメータに対して反復更新を行うこととを更に含む請求項２又は３に記載の方法。
【請求項５】
前記の前記変換パラメータに対して初期化を行うことは、
ガウスランダム関数により、前記変換パラメータに対して初期化を行うことを含む請求項４に記載の方法。
【請求項６】
前記の複数のサンプル特徴データに基づいて、初期化された前記変換パラメータに対して反復更新を行うことは、
現在の前記変換パラメータに基づいて、前記複数のサンプル特徴データ内の第１のサンプル特徴行列に対して次元拡張変換処理を行い、変換後の第１のサンプル特徴行列を得ることと、
前記変換後の第１のサンプル特徴行列に対して量子化処理を行い、第２のサンプル特徴行列を得ることと、
前記第１のサンプル特徴行列及び前記第２のサンプル特徴行列に基づいて、第１の直交行列及び第２の直交行列を得ることと、
前記第１の直交行列及び前記第２の直交行列に基づいて、現在の前記変換パラメータを更新することと、を含む請求項４又は５に記載の方法。
【請求項７】
前記の前記第１の直交行列及び前記第２の直交行列に基づいて、現在の前記変換パラメータを更新することは、前記第１の直交行列に対してインターセプト操作を行い、インターセプト後の前記第１の直交行列を得ることと、前記第２の直交行列と前記インターセプト後の前記第１の直交行列を乗算し、更新後の現在の前記変換パラメータを得ることと、を含む請求項６に記載の方法。
【請求項８】
前記変換パラメータは、列数が行数の整数倍である変換行列を含む請求項２〜７のいずれか一項に記載の方法。
【請求項９】
前記の前記第２の特徴データに基づいて、本人認証結果を得ることは、前記第２の特徴データと所定の特徴データとのマッチング結果に基づいて、前記第１のユーザ画像の本人認証結果を得ることを含む請求項１〜８のいずれか一項に記載の方法。
【請求項１０】
前記の前記第２の特徴データと所定の特徴データとのマッチング結果に基づいて、前記第１のユーザ画像の本人認証結果を得る前に、
メモリから、２進数シーケンスである前記所定の特徴データを取得することを更に含む請求項９に記載の方法。
【請求項１１】
前記の前記第２の特徴データに基づいて、本人認証結果を得ることは、第２のユーザ画像の第３の特徴データを取得することと、前記第３の特徴データと前記第２の特徴データとのマッチング結果に基づいて、前記第２のユーザ画像の本人認証結果を得ることと、を含む請求項１〜８のいずれか一項に記載の方法。
【請求項１２】
前記第２の特徴データをテンプレートデータベースに記憶することを更に含む請求項１〜８のいずれか一項に記載の方法。
【請求項１３】
前記の第１のユーザ画像の第１の特徴データを取得することは、前記第１のユーザ画像を取得することと、
前記第１のユーザ画像に対して特徴抽出処理を行い、前記第１のユーザ画像の第１の特徴データを得ることと、を含む請求項１〜１２のいずれか一項に記載の方法。
【請求項１４】
前記第２の特徴データは２進数シーケンスを含む請求項１〜１３のいずれか一項に記載の方法。
【請求項１５】
顔画像を取得することと、
前記顔画像を処理し、整数型の顔特徴データを得ることと、
前記整数型の顔特徴データに基づいて、前記端末装置のロックを解除するか否かを確定することと、を含むロック解除方法。
【請求項１６】
前記の前記顔画像を処理し、整数型の顔特徴データを得ることは、
前記顔画像に対して特徴抽出処理を行い、浮動小数点型の顔特徴データを得ることと、
前記浮動小数点型の顔特徴データに対して量子化処理を行い、前記整数型の顔特徴データを得ることと、を含む請求項１５に記載の方法。
【請求項１７】
前記整数型の顔特徴データは２進数シーケンスを含む請求項１５又は１６に記載の方法。
【請求項１８】
前記の前記整数型の顔特徴データに基づいて、前記端末装置のロックを解除するか否かを確定することは、
前記整数型の顔特徴データと整数型データである所定の顔特徴データがマッチングするか否かに応じて、前記端末装置のロックを解除するか否かを確定することを含む請求項１５〜１７のいずれか一項に記載の方法。
【請求項１９】
顔画像を取得することと、
前記顔画像を処理し、整数型の顔特徴データを得ることと、
前記整数型の顔特徴データに基づいて支払を許可するか否かを確定し、又は、サーバーへ前記整数型の顔特徴データを含む支払要求を送信することと、を含む支払方法。
【請求項２０】
第１のユーザ画像の第１の特徴データを取得するように構成される第１の確定モジュールと、
前記第１の特徴データに対して量子化処理を行い、第２の特徴データを得るように構成される量子化モジュールと、
前記第２の特徴データに基づいて、本人認証結果を得るように構成される本人認証モジュールと、を含む本人認証装置。
【請求項２１】
顔画像を取得するように構成される第２の取得モジュールと、
前記顔画像を処理し、整数型の顔特徴データを得るように構成される第１の処理モジュールと、
前記整数型の顔特徴データに基づいて、前記端末装置のロックを解除するか否かを確定するように構成される第２の解除モジュールと、を含むロック解除装置。
【請求項２２】
顔画像を取得するように構成される第３の取得モジュールと、
前記顔画像を処理し、整数型の顔特徴データを得るように構成される第２の処理モジュールと、
前記整数型の顔特徴データに基づいて支払を許可するか否かを確定し、又は、サーバーへ前記整数型の顔特徴データを含む支払要求を送信するように構成される第２の支払モジュールと、を含む支払装置。
【請求項２３】
コンピュータプログラムコマンドが記憶されており、前記プログラムコマンドがプロセッサにより実行される時に請求項１〜１４のいずれか一項に記載の本人認証方法のステップを実現し、又は、請求項１５〜１８のいずれか一項に記載のロック解除方法のステップを実現し、又は、請求項１９に記載の支払方法のステップを実現するコンピュータ可読記憶媒体。
【請求項２４】
コンピュータプログラムコマンドを含み、前記プログラムコマンドがプロセッサにより実行される時に請求項１〜１４のいずれか一項に記載の本人認証方法のステップを実現し、又は、請求項１５〜１８のいずれか一項に記載のロック解除方法のステップを実現し、又は、請求項１９に記載の支払方法のステップを実現するコンピュータプログラム。
【請求項２５】
第１のプロセッサ、及び第１のメモリを備え、前記第１のメモリが少なくとも１つの実行可能コマンドを格納するように構成され、前記実行可能コマンドにより前記第１のプロセッサに、請求項１〜１４のいずれか一項に記載の本人認証方法のステップ、又は、請求項１５〜１８のいずれか一項に記載のロック解除方法のステップを実現し、又は、請求項１９に記載の支払方法のステップを実行させる電子機器。
【手続補正２】
【補正対象書類名】明細書
【補正対象項目名】００６０
【補正方法】変更
【補正の内容】
【００６０】
本願の実施例で提供される技術的手段によれば、画像の第１の特徴データを取得し、画像の第１の特徴データに対して量子化処理を行い、画像の第２の特徴データを得、画像の第２の特徴データに基づいて、本人認証結果を得るようになっており、他の方式と比較すれば、本人認証プロセスにいて、特徴データに対して暗号化及び復号化の操作を行う必要がなく、ユーザ情報の安全性を保証すると共に、機器の計算資源を節約し、本人認証の効率を向上させ、それによりユーザの体験を最適化する。
例えば、本願は以下の項目を提供する。
（項目１）
第１のユーザ画像の第１の特徴データを取得することと、
前記第１の特徴データに対して量子化処理を行い、第２の特徴データを得ることと、
前記第２の特徴データに基づいて、本人認証結果を得ることと、を含む本人認証方法。
（項目２）
前記の前記第１の特徴データに対して量子化処理を行うことは、
符号関数を利用して前記第１の特徴データに対して量子化処理を行うことを含む項目１に記載の方法。
（項目３）
前記の前記第１の特徴データに対して量子化処理を行う前に、
変換パラメータを利用して、前記第１の特徴データに対して次元拡張変換処理を行い、変換データを得ることを更に含み、
前記の前記第１の特徴データに対して量子化処理を行い、第２の特徴データを得ることは、前記変換データに対して量子化処理を行い、前記第２の特徴データを得ることを含む項目１又は２に記載の方法。
（項目４）
前記の変換パラメータを利用して、前記第１の特徴データに対して次元拡張変換処理を行い、変換データを得ることは、前記第１の特徴データと前記変換パラメータの積を前記変換データとして確定することを含む項目３に記載の方法。
（項目５）
前記の変換パラメータを利用して、前記第１の特徴データに対して次元拡張変換処理を行う前に、前記変換パラメータに対して初期化を行うことと、少なくとも１つのサンプル特徴データに基づいて、反復終了条件が満たされるまで、初期化された前記変換パラメータに対して反復更新を行うこととを更に含む項目３又は４に記載の方法。
（項目６）
前記の前記変換パラメータに対して初期化を行うことは、
ガウスランダム関数により、前記変換パラメータに対して初期化を行うことを含む項目５に記載の方法。
（項目７）
前記の少なくとも１つのサンプル特徴データに基づいて、初期化された前記変換パラメータに対して反復更新を行うことは、
現在の前記変換パラメータに基づいて、前記少なくとも１つのサンプル特徴データのうちの各々のサンプル特徴データに対してそれぞれ次元拡張変換処理を行い、少なくとも１つの変換後のサンプル特徴データを得ることと、
前記少なくとも１つの変換後のサンプル特徴データのうちの各々の変換後のサンプル特徴データに対してそれぞれ量子化処理を行い、少なくとも１つの量子化後のサンプル特徴データを得ることと、
前記少なくとも１つの量子化後のサンプル特徴データ及び前記少なくとも１つのサンプル特徴データに基づいて、現在の前記変換パラメータを更新することと、を含む項目５又は６に記載の方法。
（項目８）
前記少なくとも１つのサンプル特徴データは第１のサンプル特徴行列であり、前記少なくとも１つの量子化後のサンプル特徴データは第２のサンプル特徴行列であり、
前記の前記少なくとも１つの量子化後のサンプル特徴データ及び前記少なくとも１つのサンプル特徴データに基づいて、現在の前記変換パラメータを更新することは、前記第２のサンプル特徴行列に対して転置操作を行い、転置後の前記第２のサンプル特徴行列を得ることと、前記転置後の前記第２のサンプル特徴行列と前記第１のサンプル特徴行列を乗算し、乗算後の行列を得ることと、前記乗算後の行列に対して特異値分解処理を行い、第１の直交行列及び第２の直交行列を得ることと、前記第１の直交行列及び前記第２の直交行列に基づいて、変換行列を更新することと、を含む項目７に記載の方法。
（項目９）
前記の前記第１の直交行列及び前記第２の直交行列に基づいて、変換行列を更新することは、前記第１の直交行列に対してインターセプト操作を行い、インターセプト後の前記第１の直交行列を得ることと、前記第２の直交行列と前記インターセプト後の前記第１の直交行列を乗算し、更新後の前記変換行列を得ることと、を含む項目８に記載の方法。
（項目１０）
前記反復終了条件は、更新後の前記変換パラメータと更新前の前記変換パラメータの間の差異値が所定の差異値以下であることを含む項目５〜９のいずれか一項に記載の方法。
（項目１１）
前記変換パラメータは、列数が行数の整数倍である変換行列を含む項目３〜１０のいずれか一項に記載の方法。
（項目１２）
前記の前記第２の特徴データに基づいて、本人認証結果を得ることは、前記第２の特徴データと所定の特徴データとのマッチング結果に基づいて、前記第１のユーザ画像の本人認証結果を得ることを含む項目１〜１１のいずれか一項に記載の方法。
（項目１３）
前記の前記第２の特徴データと所定の特徴データとのマッチング結果に基づいて、前記第１のユーザ画像の本人認証結果を得る前に、
メモリから、２進数シーケンスである前記所定の特徴データを取得することを更に含む項目１２に記載の方法。
（項目１４）
前記本人認証結果が合格した場合に、端末装置のロックを解除することを更に含む項目１〜１３のいずれか一項に記載の方法。
（項目１５）
前記本人認証結果が合格した場合に、サーバーへ支払要求を送信するか、又は支払要求に応答することを更に含む項目１〜１３のいずれか一項に記載の方法。
（項目１６）
前記の前記第２の特徴データに基づいて、本人認証結果を得ることは、第２のユーザ画像の第３の特徴データを取得することと、前記第３の特徴データと前記第２の特徴データとのマッチング結果に基づいて、前記第２のユーザ画像の本人認証結果を得ることと、を含む項目１〜１１のいずれか一項に記載の方法。
（項目１７）
前記第２の特徴データをテンプレートデータベースに記憶することを更に含む項目１６に記載の方法。
（項目１８）
前記の第１のユーザ画像の第１の特徴データを取得することは、前記第１のユーザ画像を取得することと、
前記第１のユーザ画像に対して特徴抽出処理を行い、前記第１のユーザ画像の第１の特徴データを得ることと、を含む項目１〜１７のいずれか一項に記載の方法。
（項目１９）
前記第２の特徴データは２進数シーケンスを含む項目１〜１８のいずれか一項に記載の方法。
（項目２０）
前記第２の特徴データの次元は前記第１の特徴データの次元より大きい項目１〜１９のいずれか一項に記載の方法。
（項目２１）
前記第１のユーザ画像はユーザの顔画像である項目１〜２０のいずれか一項に記載の方法。
（項目２２）
前記の第１のユーザ画像を取得することは、カメラにより画像を収集し、第１のユーザ画像を得、又は、端末装置から送信される、前記第１のユーザ画像を含む要求メッセージを受信することを含む項目１８に記載の方法。
（項目２３）
前記の第１のユーザ画像の第１の特徴データを取得することは、端末装置から送信される、第１のユーザ画像の第１の特徴データを含む要求メッセージを受信することを含む項目１〜２０のいずれか一項に記載の方法。
（項目２４）
端末装置へ、前記本人認証結果を示す応答メッセージを送信することを更に含む項目１〜２０のいずれか一項に記載の方法。
（項目２５）
顔画像を取得することと、
前記顔画像を処理し、整数型の顔特徴データを得ることと、
前記整数型の顔特徴データに基づいて、前記端末装置のロックを解除するか否かを確定することと、を含むロック解除方法。
（項目２６）
前記の顔画像を取得することは、
ユーザのロック解除指示に応答して、顔画像を取得することを含む項目２５に記載の方法。
（項目２７）
前記の前記顔画像を処理し、整数型の顔特徴データを得ることは、
前記顔画像に対して特徴抽出処理を行い、浮動小数点型の顔特徴データを得ることと、
前記浮動小数点型の顔特徴データに対して量子化処理を行い、前記整数型の顔特徴データを得ることと、を含む項目２５又は２６に記載の方法。
（項目２８）
前記整数型の顔特徴データは２進数シーケンスを含む項目２５〜２７のいずれか一項に記載の方法。
（項目２９）
前記の前記顔画像を処理し、整数型の顔特徴データを得る前に、前記顔画像が所定の画像要求を満たすか否かを確定することを更に含み、
前記の前記顔画像を処理し、整数型の顔特徴データを得ることは、前記顔画像が所定の画像要求を満たした場合に、前記顔画像を処理し、整数型の顔特徴データを得ることを含む項目２５〜２７のいずれか一項に記載の方法。
（項目３０）
前記の前記整数型の顔特徴データに基づいて、前記端末装置のロックを解除するか否かを確定することは、
前記整数型の顔特徴データと整数型データである所定の顔特徴データがマッチングするか否かに応じて、前記端末装置のロックを解除するか否かを確定することを含む項目２５〜２８のいずれか一項に記載の方法。
（項目３１）
顔画像を取得することと、
前記顔画像を処理し、整数型の顔特徴データを得ることと、
前記整数型の顔特徴データに基づいて支払を許可するか否かを確定し、又は、サーバーへ前記整数型の顔特徴データを含む支払要求を送信することと、を含む支払方法。
（項目３２）
前記の前記顔画像を処理し、整数型の顔特徴データを得ることは、
前記顔画像に対して特徴抽出処理を行い、浮動小数点型の顔特徴データを得ることと、
前記浮動小数点型の顔特徴データに対して量子化処理を行い、前記整数型の顔特徴データを得ることと、を含む項目３１に記載の方法。
（項目３３）
前記整数型の顔特徴データは２進数シーケンスを含む項目３１又は３２に記載の方法。
（項目３４）
前記の前記顔画像を処理し、整数型の顔特徴データを得る前に、
前記顔画像が所定の画像要求を満たすか否かを確定することを更に含み、
前記の前記顔画像を処理し、整数型の顔特徴データを得ることは、
前記顔画像が所定の画像要求を満たした場合に、前記顔画像を処理し、整数型の顔特徴データを得ることを含む項目３１〜３３のいずれか一項に記載の方法。
（項目３５）
前記の顔画像を取得することは、
ユーザの支払命令を受信したことに応答して、顔画像を取得することを含む項目３１〜３３のいずれか一項に記載の方法。
（項目３６）
第１のユーザ画像の第１の特徴データを取得するように構成される第１の確定モジュールと、
前記第１の特徴データに対して量子化処理を行い、第２の特徴データを得るように構成される量子化モジュールと、
前記第２の特徴データに基づいて、本人認証結果を得るように構成される本人認証モジュールと、を含む本人認証装置。
（項目３７）
前記量子化モジュールは、
符号関数を利用して前記第１の特徴データに対して量子化処理を行い、前記第２の特徴データを得るように構成される項目３６に記載の装置。
（項目３８）
前記量子化モジュールの前に、
変換パラメータを利用して、前記第１の特徴データに対して次元拡張変換処理を行い、変換データを得るように構成される変換モジュールと、
前記変換データに対して量子化処理を行い、前記第２の特徴データを得るように構成される前記量子化モジュールと、を更に含む項目３６又は３７に記載の装置
（項目３９）
前記変換モジュールは、前記第１の特徴データと前記変換パラメータの積を前記変換データとして確定するように構成される項目３８に記載の装置。
（項目４０）
前記変換モジュールの前に、
前記変換パラメータに対して初期化を行うように構成される初期化モジュールと、
少なくとも１つのサンプル特徴データに基づいて、反復終了条件が満たされるまで、初期化された前記変換パラメータに対して反復更新を行うように構成される反復更新モジュールと、を更に含む項目３８又は３９に記載の装置。
（項目４１）
前記初期化モジュールは、ガウスランダム関数により、前記変換パラメータに対して初期化を行うように構成される項目４０に記載の装置。
（項目４２）
前記反復更新モジュールは、
現在の前記変換パラメータに基づいて、前記少なくとも１つのサンプル特徴データのうちの各々のサンプル特徴データに対してそれぞれ次元拡張変換処理を行い、少なくとも１つの変換後のサンプル特徴データを得るように構成される変換サブモジュールと、
前記少なくとも１つの変換後のサンプル特徴データのうちの各々の変換後のサンプル特徴データに対してそれぞれ量子化処理を行い、少なくとも１つの量子化後のサンプル特徴データを得るように構成される量子化サブモジュールと、
前記少なくとも１つの量子化後のサンプル特徴データ及び前記少なくとも１つのサンプル特徴データに基づいて、現在の前記変換パラメータを更新するように構成される更新サブモジュールと、を含む項目４０又は４１に記載の装置。
（項目４３）
前記少なくとも１つのサンプル特徴データは第１のサンプル特徴行列であり、前記少なくとも１つの量子化後のサンプル特徴データは第２のサンプル特徴行列であり、
前記更新サブモジュールは、前記第２のサンプル特徴行列に対して転置操作を行い、転置後の前記第２のサンプル特徴行列を得るように構成される転置ユニットと、
前記転置後の前記第２のサンプル特徴行列と前記第１のサンプル特徴行列を乗算し、乗算後の行列を得るように構成される乗算ユニットと、
前記乗算後の行列に対して特異値分解処理を行い、第１の直交行列及び第２の直交行列を得るように構成される分解ユニットと、
前記第１の直交行列及び前記第２の直交行列に基づいて、変換行列を更新するように構成される更新ユニットと、を含む項目４２に記載の装置。
（項目４４）
前記更新ユニットは、前記第１の直交行列に対してインターセプト操作を行い、インターセプト後の前記第１の直交行列を得、前記第２の直交行列と前記インターセプト後の前記第１の直交行列を乗算し、更新後の前記変換行列を得るように構成される項目４３に記載の装置。
（項目４５）
前記反復終了条件は、更新後の前記変換パラメータと更新前の前記変換パラメータの間の差異値が所定の差異値以下であることを含む項目４０〜４４のいずれか一項に記載の装置。
（項目４６）
前記変換パラメータは、列数が行数の整数倍である変換行列を含む項目３８〜４５のいずれか一項に記載の装置。
（項目４７）
前記本人認証モジュールは、前記第２の特徴データと所定の特徴データとのマッチング結果に基づいて、前記第１のユーザ画像の本人認証結果を得るように構成される項目３６〜４６のいずれか一項に記載の装置。
（項目４８）
前記本人認証モジュールの前に、
メモリから、２進数シーケンスである前記所定の特徴データを取得するように構成される第１の取得モジュールを更に含む項目４７に記載の装置。
（項目４９）
前記本人認証結果が合格した場合に、端末装置のロックを解除するように構成される第１の解除モジュールを更に含む項目３６〜４８のいずれか一項に記載の装置。
（項目５０）
前記本人認証結果が合格した場合に、サーバーへ支払要求を送信するか、又は支払要求に応答するように構成される第１の支払モジュールを更に含む項目３６〜４８のいずれか一項に記載の装置。
（項目５１）
前記本人認証モジュールは、第２のユーザ画像の第３の特徴データを取得し、前記第３の特徴データと前記第２の特徴データとのマッチング結果に基づいて、前記第２のユーザ画像の本人認証結果を得るように構成される項目３６〜４６のいずれか一項に記載の装置。
（項目５２）
前記第２の特徴データをテンプレートデータベースに記憶するように構成される記憶モジュールを更に含む項目５１に記載の装置。
（項目５３）
前記第１の確定モジュールは、前記第１のユーザ画像を取得するように構成される取得ユニットと、前記第１のユーザ画像に対して特徴抽出処理を行い、前記第１のユーザ画像の第１の特徴データを得るように構成される抽出ユニットと、を含む項目３６〜５２のいずれか一項に記載の装置。
（項目５４）
前記第２の特徴データは２進数シーケンスを含む項目３６〜５３のいずれか一項に記載の装置。
（項目５５）
前記第２の特徴データの次元は前記第１の特徴データの次元より大きい項目３６〜５４のいずれか一項に記載の装置。
（項目５６）
前記第１のユーザ画像はユーザの顔画像である項目３６〜５５のいずれか一項に記載の装置。
（項目５７）
前記取得ユニットは、カメラにより画像を収集し、第１のユーザ画像を得、又は、端末装置から送信される、前記第１のユーザ画像を含む要求メッセージを受信するように構成される項目５３に記載の装置。
（項目５８）
前記第１の確定モジュールは、端末装置から送信される、第１のユーザ画像の第１の特徴データを含む要求メッセージを受信するように構成される項目３６〜５５のいずれか一項に記載の装置。
（項目５９）
端末装置へ、前記本人認証結果を示す応答メッセージを送信するように構成される送信モジュールを更に含む項目３６〜５５のいずれか一項に記載の装置。
（項目６０）
顔画像を取得するように構成される第２の取得モジュールと、
前記顔画像を処理し、整数型の顔特徴データを得るように構成される第１の処理モジュールと、
前記整数型の顔特徴データに基づいて、前記端末装置のロックを解除するか否かを確定するように構成される第２の解除モジュールと、を含むロック解除装置。
（項目６１）
前記第２の取得モジュールは、ユーザのロック解除指示に応答して、顔画像を取得するように構成される項目６０に記載の装置。
（項目６２）
前記第１の処理モジュールは、前記顔画像に対して特徴抽出処理を行い、浮動小数点型の顔特徴データを得、前記浮動小数点型の顔特徴データに対して量子化処理を行い、前記整数型の顔特徴データを得るように構成される項目６０又は６１に記載の装置。
（項目６３）
前記整数型の顔特徴データは２進数シーケンスを含む項目６０〜６２のいずれか一項に記載の装置。
（項目６４）
前記第１の処理モジュールの前に、
前記顔画像が所定の画像要求を満たすか否かを確定するように構成される第２の確定モジュールと、
前記顔画像が所定の画像要求を満たした場合に、前記顔画像を処理し、整数型の顔特徴データを得るように構成される前記第１の処理モジュールと、を更に含む項目６０〜６３のいずれか一項に記載の装置。
（項目６５）
前記第２の解除モジュールは、前記整数型の顔特徴データと整数型データである所定の顔特徴データがマッチングするか否かに応じて、前記端末装置のロックを解除するか否かを確定するように構成される項目６０〜６４のいずれか一項に記載の装置。
（項目６６）
顔画像を取得するように構成される第３の取得モジュールと、
前記顔画像を処理し、整数型の顔特徴データを得るように構成される第２の処理モジュールと、
前記整数型の顔特徴データに基づいて支払を許可するか否かを確定し、又は、サーバーへ前記整数型の顔特徴データを含む支払要求を送信するように構成される第２の支払モジュールと、を含む支払装置。
（項目６７）
前記第２の処理モジュールは、前記顔画像に対して特徴抽出処理を行い、浮動小数点型の顔特徴データを得、前記浮動小数点型の顔特徴データに対して量子化処理を行い、前記整数型の顔特徴データを得るように構成される項目６６に記載の装置。
（項目６８）
前記整数型の顔特徴データは２進数シーケンスを含む項目６６又は６７に記載の装置。
（項目６９）
前記第２の処理モジュールの前に、
前記顔画像が所定の画像要求を満たすか否かを確定するように構成される第３の確定モジュールと、
前記顔画像が所定の画像要求を満たした場合に、前記顔画像を処理し、整数型の顔特徴データを得るように構成される前記第２の処理モジュールと、を更に含む項目６６〜６８のいずれか一項に記載の装置。
（項目７０）
前記第３の取得モジュールは、ユーザの支払命令を受信したことに応答して、顔画像を取得するように構成される項目６６〜６８のいずれか一項に記載の装置。
（項目７１）
コンピュータプログラムコマンドが記憶されており、前記プログラムコマンドがプロセッサにより実行される時に項目１〜２４のいずれか一項に記載の本人認証方法のステップを実現し、又は、項目２５〜３０のいずれか一項に記載のロック解除方法のステップを実現し、又は、項目３１〜３５のいずれか一項に記載の支払方法のステップを実現するコンピュータ可読記憶媒体。
（項目７２）
コンピュータプログラムコマンドを含み、前記プログラムコマンドがプロセッサにより実行される時に項目１〜２４のいずれか一項に記載の本人認証方法のステップを実現し、又は、項目２５〜３０のいずれか一項に記載のロック解除方法のステップを実現し、又は、項目３１〜３５のいずれか一項に記載の支払方法のステップを実現するコンピュータプログラム。
（項目７３）
第１のプロセッサ、第１のメモリ、第１の通信素子及び第１の通信バスを備え、前記第１のプロセッサ、前記第１のメモリ及び前記第１の通信素子が前記第１の通信バスにより相互の通信を行い、前記第１のメモリが少なくとも１つの実行可能コマンドを格納するように構成され、前記実行可能コマンドにより前記第１のプロセッサに項目１〜２４のいずれか一項に記載の本人認証方法のステップを実行させる電子機器。
（項目７４）
第２のプロセッサ、第２のメモリ、第２の通信素子及び第２の通信バスを備え、前記第２のプロセッサ、前記第２のメモリ及び前記第２の通信素子が前記第２の通信バスにより相互の通信を行い、前記第２のメモリが少なくとも１つの実行可能コマンドを格納するように構成され、前記実行可能コマンドにより前記第２のプロセッサに項目２５〜３０のいずれか一項に記載のロック解除方法のステップを実行させる電子機器。
（項目７５）
第３のプロセッサ、第３のメモリ、第３の通信素子及び第３の通信バスを備え、前記第３のプロセッサ、前記第３のメモリ及び前記第３の通信素子が前記第３の通信バスにより相互の通信を行い、前記第３のメモリが少なくとも１つの実行可能コマンドを格納するように構成され、前記実行可能コマンドにより前記第３のプロセッサに項目３１〜３５のいずれか一項に記載の支払方法のステップを実行させる電子機器。